(57)【要約】【課題】関連するプロセス量および機器の状態のトレンドグラフを一つの画面に表示し、運転員の作業負荷を軽減させる。【解決手段】プラントデータ２の種類を、複数の表示グループ１０に分けて、各グループに対応させる表示グループ定義情報１１を格納し、データ入力部３に複数種類のプラントデータ２を入力して、蓄積部８に蓄積する。表示させるべきプラントデータ２の種類が選択されたときに、これに対応する表示グループ１０を抽出し、蓄積されたデータに基づいて、抽出された表示グループ１０に属する複数種類のプラントデータ２のトレンドをトレンド画面１７として表示する。【選択図】図１
2009193195.tif 000002
【特許請求の範囲】
【請求項１】
複数の機器を具備するプラントのプロセス量および前記機器の状態を表す複数種類のプラントデータを時系列データとして入力するデータ入力部と、
前記データ入力部で入力されたプラントデータを蓄積するデータ蓄積部と、
前記プラントデータの種類を複数の表示グループに分けて、各グループに対応させる表示グループ定義情報を格納する表示画面情報格納部と、
前記複数種類のプラントデータのうちの表示させるべきプラントデータの種類を選択する選択入力手段と、
前記表示グループ定義情報に基づいて、前記選択入力手段で選択されたプラントデータの種類に対応する表示グループを抽出し、前記データ蓄積部に蓄積されたプラントデータに基づいて、前記抽出手段で抽出された表示グループに属する複数種類のプラントデータのトレンドをトレンド画面として表示するトレンド表示手段とを有することを特徴とするプラント監視制御システム。
【請求項２】
前記抽出手段で抽出された前記表示グループに属するすべてのプラントデータのトレンドをトレンド画面として表示するトレンド表示手段を有することを特徴とする請求項１に記載のプラント監視制御システム。
【請求項３】
共通の時間軸におけるタイムスタンプを前記データ入力部で入力されたプラントデータに付加する時間情報付加手段と、
前記プラントデータに付加されたタイムスタンプを当該プラントデータと対応させて前記データ蓄積部に蓄積する手段とを有することを特徴とする請求項１または請求項２に記載のプラント監視制御システム。
【請求項４】
前記表示グループ定義情報に基づいて、前記選択入力手段で選択されたプラントデータの種類に対応して抽出された表示グループに属する複数種類のプラントデータを表す系統図を表示する系統図表示手段を有することを特徴とする請求項１ないし請求項３のいずれか一項に記載のプラント監視制御システム。
【請求項５】
前記系統図を所定の周期ごとに更新する手段を有することを特徴とする請求項４に記載のプラント監視制御システム。
【請求項６】
前記トレンド画面を所定の周期ごとに更新する手段を有することを特徴とする請求項１ないし請求項５のいずれか一項に記載のプラント監視制御システム。
【請求項７】
複数の機器を具備するプラントのプロセス量および前記機器の状態を表す複数種類のプラントデータの種類を複数の表示グループに分けて各グループに対応させる表示グループ定義情報を格納し、
前記複数種類のプラントデータを時系列データとして入力し、
前記データ入力部で入力されたプラントデータを蓄積し、
前記複数種類のプラントデータのうちの表示させるべきプラントデータの種類が選択されたときに、前記表示グループ定義情報に基づいて、前記選択されたプラントデータの種類に対応する表示グループを抽出し、前記蓄積されたデータに基づいて、前記抽出された表示グループに属する複数種類のプラントデータのトレンドをトレンド画面として表示することを特徴とするプラント監視制御方法。
【発明の詳細な説明】
【技術分野】
【０００１】
本発明は、プラント監視制御システムおよびプラント監視制御方法に関する。
【背景技術】
【０００２】
一般に、原子力発電所のような大規模なプラントでは、中央制御室にてプラントの状態を監視し遠隔操作を行っている。プラントの状態の監視に必要な情報を運転員に提供する手段の一つとして、ＣＲＴや液晶ディスプレイ等の表示装置に表示される系統図表示画面およびトレンド画面がある。
【０００３】
系統図表示画面には、監視目的別に関連する複数のプロセス量および機器の状態等を表示するプラントデータが、グループ化されて表示されており、各種プロセス量の瞬時値、および機器の状態を確認することができる。
【０００４】
トレンドグラフ画面では、各種プロセス量の経時変化を視覚的に確認することができる。しかし、トレンド画面に表示する各種プラントデータは、運転員が手作業で選択する必要があり、原子力発電所のような大規模なプラントにおいては、監視すべきプラントデータの種類が膨大であるため、監視対象のプラントデータの種類を探し出すことは、運転員にとって大きな負担となっていた。
【０００５】
この問題の解決を試みた例として、特許文献１に開示されているように、系統図表示画面に表示されたプロセス量の表示部をタッチ操作で選択し、運転員が選択した各種プロセス量のトレンド画面を系統図表示画面上にポップアップ表示させるというものがある。
【特許文献１】特開平４−１６６７２１号公報
【発明の開示】
【発明が解決しようとする課題】
【０００６】
上記特許文献１の発明においては、系統図表示画面に表示されたプロセス量の表示部をタッチ操作で選択するという手段により、プラントデータの種類を選択する作業が省力化されているが、１つ１つ画面内のプロセス量の表示部をタッチ選択する必要があること、および系統図表示画面を切り替えて別のトレンドグラフを作成する度にこの選択操作を行わねばならないことが、運転員の負担となっている。
【０００７】
また、このトレンド画面ではプロセス量の経時変化は視覚的に確認できるが、プロセス量の変化と機器状態の変化との関係を把握することが困難であった。
【０００８】
即ち、プロセス量と機器状態とを共通時間軸でトレンド画面に同時表示することができないために、あるプロセス量の変化がどの機器の状態変化によるものであるかということを視覚的に確認することが困難であった。
【０００９】
本発明は上述した課題を解決するためになされたものであり、関連するプロセス量及び機器の状態を表す情報をグループ化してトレンドグラフを表示する機能を有するプラント監視制御システムおよびプラント監視制御方法を提供することを目的とする。
【課題を解決するための手段】
【００１０】
上記目的を達成するため、本発明に係るプラント監視制御システムは、複数の機器を具備するプラントのプロセス量および前記機器の状態を表す複数種類のプラントデータを時系列データとして入力するデータ入力部と、前記データ入力部で入力されたプラントデータを蓄積するデータ蓄積部と、前記プラントデータの種類を複数の表示グループに分けて、各グループに対応させる表示グループ定義情報を格納する表示画面情報格納部と、前記複数種類のプラントデータのうちの表示させるべきプラントデータの種類を選択する選択入力手段と、前記表示グループ定義情報に基づいて、前記選択入力手段で選択されたプラントデータの種類に対応する表示グループを抽出し、前記データ蓄積部に蓄積されたプラントデータに基づいて、前記抽出手段で抽出された表示グループに属する複数種類のプラントデータのトレンドをトレンド画面として表示するトレンド表示手段とを有することを特徴とする。
【００１１】
また、本発明に係るプラント監視制御方法は、複数の機器を具備するプラントのプロセス量および前記機器の状態を表す複数種類のプラントデータの種類を複数の表示グループに分けて各グループに対応させる表示グループ定義情報を格納し、前記複数種類のプラントデータを時系列データとして入力し、前記データ入力部で入力されたプラントデータを蓄積し、前記複数種類のプラントデータのうちの表示させるべきプラントデータの種類が選択されたときに、前記表示グループ定義情報に基づいて、前記選択されたプラントデータの種類に対応する表示グループを抽出し、前記蓄積されたデータに基づいて、前記抽出された表示グループに属する複数種類のプラントデータのトレンドをトレンド画面として表示することを特徴とする。
【発明の効果】
【００１２】
本発明によれば、関連するプロセス量および機器の状態を表わすプラントデータをグループ化してトレンド画面を作成することにより、運転員の作業負荷を軽減させるプラント監視制御システムを提供することが可能となる。
【発明を実施するための最良の形態】
【００１３】
以下、図面を用いて本発明に係るプラント監視制御システムの実施形態とその作用について説明する。
【００１４】
まず、本実施形態のプラント監視制御システムの構成について以下に説明する。図１は本実施形態のプラント監視制御システムの構成図である。
【００１５】
複数の機器を有するプラント１の各種プロセス量および複数の機器の状態を表わすプラントデータ２が、時系列的にデータ入力部３に入力される。データ入力部３に入力されたプラントデータ２は、時間情報付加手段４により、データ入力時間のタイムスタンプ５が付加される。なお、このデータ入力時間は、時間管理手段６によって管理されているプラント１の共通時間７である。
【００１６】
タイムスタンプ５が付加されたプラントデータ２は、データ蓄積部８に蓄積される。
【００１７】
複数の種類を有するプラントデータ２は、表示画面情報格納部９により、複数の表示グループ１０に分けられる。複数の表示グループ１０には、個々の表示グループ１０に対応させる表示グループ定義情報１１が付与されて、格納される。表示画面情報格納部９には、画面構成情報等も格納されている。
【００１８】
膨大な種類のプラントデータ２の中から、運転員が選択入力手段１２により、少なくとも１種類のプラントデータ２を選択入力し、閲覧要求する。入力されたプラントデータ２の種類が属する表示グループ１０は、表示グループ定義情報１１に基づいて、表示画面情報格納部９から抽出されて、画面処理部１３に送られる。
【００１９】
抽出された表示グループ１０の情報、画面構成情報、およびデータ蓄積部８に蓄積されタイムスタンプ５が付けられたプラントデータ２は、画面処理部１３で編集される。さらに、表示情報制御部１４を介して、表示手段１５により、系統図表示画面１６として表示される。
【００２０】
なお、表示手段１５に表示される系統図表示画面１６内のプロセス量及び機器状態は、画面処理部１３により、一定の周期で遂次更新される。
【００２１】
次に、トレンド画面１７の作成について説明する。
【００２２】
トレンド画面１７に表示するプラントデータ２の種類は、系統図表示画面１６の作成に適用された表示グループ１０に基づいて定義される。この表示グループ１０に所属するプラントデータ２は、データ蓄積部８から画面処理部１３に供給されて編集される。さらに、表示情報制御部１４を介して、表示手段１５によりトレンド画面１７として表示される。
【００２３】
この場合、系統図表示画面１６の作成に適用された表示グループ１０に属する複数のプラントデータ２をトレンド画面１７に表示する。また、表示グループ１０に属する全ての種類のプラントデータ２をトレンド画面１７に表示させることも可能である。
【００２４】
なお、プラントデータ２等がプラント１から、上記プラント監視制御システムに入力されるときに、時間情報付加手段４により、プラント１の共通時間７で一元的に管理されているため、複数種類のプラントデータ２を、同じ時間軸で表示させることが可能である。
【００２５】
系統図表示画面１６とトレンド画面１７との関係を、図２を用いて説明する。
【００２６】
系統図表示画面１６およびトレンド画面１７は、同じ表示グループ１０のプラントデータ２を表示するため、ある系統図表示画面１６とそれに対応するトレンド画面１７の画面番号は同じ番号で定義される。
【００２７】
系統図表示画面１６の画面番号を例えばＸＸＸとした場合に、ＸＸＸで表示されているプラントデータ２が所属する表示グループ１０の情報を用いて画面番号ＸＸＸのトレンド画面１７が作成される。同様に系統図表示画面１６の画面番号が例えばＹＹＹであれば、画面番号はＹＹＹのトレンド画面１７が作成される。
【００２８】
上記プラント監視制御システムの一実施例について、図３、４、５および６を用いて、以下に説明する。
【００２９】
図３は、上記プラント監視制御システムの系統図表示画面１６の一例を示したものであり、画面番号が１０１と定義された、系統図表示画面１６である。
【００３０】
この例で取り扱うプラントデータ２は、ポンプＡ、Ｂ、およびＣの状態並びに、各ポンプの吐出流量および各ポンプの合計吐出流量である。ポンプの状態は、画面の背景色と別の色で、例えば黒塗りであれば起動中で、背景色であれば停止中である。したがって、図３に示した系統図表示画面１６は、ポンプＡ、Ｂ、およびＣは、全て起動中であることを示している。
【００３１】
この例では、ポンプＡが時刻αに停止する事象が発生し、時刻βにポンプＣが自動起動し、時刻γに事象整定している。時刻α、β、およびγの関係は、時刻の早いものから順番に、α、β、γとする。
【００３２】
図４は時刻αよりも前で、事象発生前の状態を示した系統図表示画面１６である。このときの各プラントデータ２は、ポンプＡおよびＢが起動状態にあり、ポンプＡの吐出流量は４０００ｔ／ｈで、ポンプＢの吐出流量は４０００ｔ／ｈである。ポンプＣは停止状態で、吐出流量は０ｔ／ｈである。合計の吐出流量は、８０００ｔ／ｈである。
【００３３】
図５は時刻γ以降で、事象整定後の状態を示す系統図表示画面１６である。このときの各プラントデータ２は、ポンプＢおよびＣが起動状態にあり、ポンプＢの吐出流量は４０００ｔ／ｈ、ポンプＣの吐出流量は４０００ｔ／ｈである。ポンプＡは停止状態にあり、吐出流量は０ｔ／ｈである。合計吐出流量は、８０００ｔ／ｈである。
【００３４】
画面処理部１３により、系統図表示画面１６は、ある一定の周期で逐次更新されるため、時刻αよりも前の事象発生前の図４から、時刻γ以降の事象整定後の図５に至るまで、各プロセス量の過度的な変化を確認することが可能である。しかし、系統図表示画面１６では、系統図表示画面１６に表示されているプラントデータ２の瞬時値を確認することは可能であるが、時間に対する推移を把握するのは困難である。
【００３５】
図６は、画面番号が１０１と定義された、系統表示画面１６に対応するトレンド画面１７である。このトレンド画面１７の画面番号も１０１と定義される。トレンド画面１７を作成するときに、運転員が確認したいプラントデータを新たに抽出しなくとも、系統表示画面１６の表示グループ１０に所属する全ての種類のプラントデータ２のトレンドを表示することが可能である。
【００３６】
このトレンド画面１７にはポンプＡ、ＢおよびＣの吐出流量の推移だけでなく、各々のポンプの状態の変化も表示される。したがって、時刻αにおいて、ポンプＡが停止したことに起因し、ポンプＡの吐出流量および合計吐出流量が減少し、時刻βでポンプＣの起動により、ポンプＣの吐出流量および合計流量が増加して、時刻γでは、合計吐出流量が時刻αより前と同じ状態になっていることを視覚的に確認することが可能である。
【００３７】
なお、ポンプＡ、ＢおよびＣの状態並びに、これらの吐出流量については、プラント１の共通時間７で一元的に管理されているため、同じ時間軸で表示することが可能である。
【００３８】
上記実施形態の説明は、本発明を説明するための例示であって、特許請求の範囲に記載の発明を限定するものではない。又、本発明の各部構成は上記実施形態に限らず、特許請求の範囲に記載の技術的範囲内で種々の変形が可能である。
【００３９】
例えば、複数の表示グループ１０が同時に表示された系統図表示画面１６から、運転員が閲覧要求するプラントデータ２を選択入力した場合においても、選択入力されたプラントデータ２と、同じ表示グループ１０に所属する全ての種類のプラントデータ２のトレンド画面１７を、作成することが可能である。
【００４０】
また、プラント１の共通時間７は、上記プラント監視制御システムの外部から供給することも可能である。
【００４１】
更に、上記プラント監視制御システムは、原子力発電所のような大規模プラント以外のプラントにも適用することが可能である。
【図面の簡単な説明】
【００４２】
【図１】本発明に係るプラント監視制御システムの一実施形態を示す構成図。
【図２】本発明に係るプラント監視制御システムの一実施形態における系統図表示画面とトレンド画面の関係を示した概略図。
【図３】本発明に係るプラント監視制御システムの一実施形態における系統図表示画面の例を示す図。
【図４】図３の系統図表示画面で、ポンプＡ停止前の状態を示す系統図表示画面の例を示す図。
【図５】図３の系統図表示画面で、ポンプＡ停止事象整定後の状態を示す系統図表示画面の例を示す図。
【図６】図３ないし図５の系統図表示画面に対応するトレンド画面の例を示す図。
【符号の説明】
【００４３】
１…プラント、２…プラントデータ、３…データ入力部、４…時間情報付加手段、５…タイムスタンプ、６…時間管理手段、７…プラント共通時間、８…データ蓄積部、９…表示画面情報格納部、１０…表示グループ、１１…表示グループ定義情報、１２…選択入力手段、１３…画面処理部、１４…表示情報制御部、１５…表示手段、１６…系統図表示画面、１７…トレンド画面
【図１】
2009193195.tif 000003
【図２】
2009193195.tif 000004
【図３】
2009193195.tif 000005
【図４】
2009193195.tif 000006
【図５】
2009193195.tif 000007
【図６】
2009193195.tif 000008